(57)【要約】【課題】タッチパネルの透明電極に結合される透明接着剤の間に透明保護層をさらに形成することにより、透明電極を成す導電性高分子の物性の変性及び抵抗増加を防止し、タッチパネルの視認性を向上させることができる静電容量方式のタッチパネルを提供する。【解決手段】本発明による静電容量方式のタッチパネルは、透明基板、前記透明基板上に形成される導電性高分子からなる透明電極、前記透明電極上に形成される透明な性質の透明保護層及び前記透明保護層上に形成された透明接着剤を含む。本発明によると、透明電極と透明接着剤の間に透明保護層をさらに形成することにより、透明電極と透明接着剤の間の反応性を遮断し、タッチパネルの作動信頼性を向上させる効果がある。【選択図】図１
2012027894.tif 000002
【特許請求の範囲】
【請求項１】
透明基板；
前記透明基板上に形成される導電性高分子からなる透明電極；
前記透明電極上に形成される透明な性質の透明保護層；及び
前記透明保護層上に形成された透明接着剤；を含む静電容量方式のタッチパネル。
【請求項２】
前記導電性高分子は、ポリ−３、４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする請求項１に記載の静電容量方式のタッチパネル。
【請求項３】
前記透明保護層は二酸化ケイ素（ＳｉＯ２）、二酸化チタン（ＴｉＯ２）または二酸化亜鉛（ＺｎＯ２）であることを特徴とする請求項１に記載の静電容量方式のタッチパネル。
【請求項４】
前記透明接着剤はＯＣＡであることを特徴とする請求項１に記載の静電容量方式のタッチパネル。
【請求項５】
第１透明基板、前記第１透明基板上に形成される導電性高分子からなる第１透明電極、前記第１透明電極上に形成される第１透明保護層を含む上部基板；
第２透明基板、前記第２透明基板上に形成される導電性高分子からなる第２透明電極、前記第２透明電極上に形成される第２透明保護層を含む下部基板；を含んで、
前記上部基板と前記下部基板は前記第１透明保護層と前記第２透明保護層が互いに向かい合うように透明接着剤で接着されることを特徴とする静電容量方式のタッチパネル。
【請求項６】
前記導電性高分子はポリ−３、４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする請求項５に記載の静電容量方式のタッチパネル。
【請求項７】
前記第１透明保護層又は第２透明保護層は二酸化ケイ素（ＳｉＯ２）、二酸化チタン（ＴｉＯ２）または二酸化亜鉛（ＺｎＯ２）であることを特徴とする請求項５に記載の静電容量方式のタッチパネル。
【請求項８】
前記透明接着剤はＯＣＡであることを特徴とする請求項５に記載の静電容量方式のタッチパネル。
【発明の詳細な説明】
【技術分野】
【０００１】
本発明は静電容量式タッチパネルに関する。
【背景技術】
【０００２】
デジタル技術を用いるコンピューターが発達するにつれてコンピューターの補助装置もともに開発されており、パソコン、ポータブル伝送装置、その他の個人専用の情報処理装置などはキーボード、マウスのような様々な入力装置（Ｉｎｐｕｔ  Ｄｅｖｉｃｅ）を用いてテキスト及びグラフィックの処理を遂行する。
【０００３】
しかし、情報化社会の急速な進行に伴い、コンピューターの用途がますます拡大される趨勢にあるなかで、現在入力装置の役割を担当するキーボード及びマウスだけでは効率的な製品の駆動が困難であるという問題点がある。従って、簡単で誤操作が少ないだけでなく、誰でも簡単に情報入力が可能な器機の必要性が高まっている。
【０００４】
また、入力装置に関する技術は一般的な機能を満たす水準を越え、高信頼性、耐久性、革新性、設計及び加工関連技術などへと関心が移り変わっていて、このような目的を果たすためにテキスト、グラフィックなどの情報入力が可能な入力装置としてタッチパネル（Ｔｏｕｃｈ  ｐａｎｅｌ）が開発された。
【０００５】
このようなタッチパネルは電子手帳、液晶表示装置（ＬＣＤ；Ｌｉｑｕｉｄ  ＣｒｙＳｔａｌ  ＤｉＳｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などのフラットパネルディスプレー装置及びＣＲＴ（Ｃａｔｈｏｄｅ  Ｒａｙ  Ｔｕｂｅ）のような画像表示装置の表示面に取付けられ、使用者が画像表示装置を見ながら求める情報を選択するようにするために用いられる道具である。
【０００６】
タッチパネルの種類は、抵抗膜方式（Ｒｅｓｉｓｔｉｖｅ）、静電容量方式（Ｃａｐａｃｉｔｉｖｅ）、電磁方式（Ｅｌｅｃｔｒｏ‐Ｍａｇｎｅｔｉｃ）、表面弾性波方式（ＳＡＷ；Ｓｕｒｆａｃｅ  Ａｃｏｕｓｔｉｃ  Ｗａｖｅ）及び赤外線方式（Ｉｎｆｒａｒｅｄ）に区分される。このような様々な方式のタッチパネルは信号増幅の問題、解像度の差異、設計及び加工技術の難易度、光学的特性、電気的特性、機械的特性、耐環境特性、入力特性、耐久性及び経済性を考慮して電子製品に採用されていて、現在もっとも幅広い分野で用いる方式は、静電容量方式のタッチパネルである。
【０００７】
静電容量方式のタッチパネルでは、透明電極を形成するために導電性高分子が用いられ、静電容量方式のタッチパネルの上部基板と下部基板を結合するために透明接着剤を用いられている。しかし、静電容量方式のタッチパネルの上部基板と下部基板を結合するために透明接着剤を用いる場合、特に、導電性高分子と透明接着剤が互いに反応することによる多様な問題点が発生された。具体的には、導電性高分子と透明接着剤が反応して、導電性高分子の物性が変わることによる導電性高分子の抵抗増加、透明度の減少によるタッチパネルの視認性の減少の問題点が発生される。また、導電性高分子と透明接着剤の間に電子が移動するＥＭ（ｅｌｅｃｔｒｏｍｉｇｒａｔｉｏｎ）現象が発生される。ＥＭ（ｅｌｅｃｔｒｏｍｉｇｒａｔｉｏｎ）現象は、電界の影響で金属成分が非金属媒体の上や中を横切って移動する現象である。このような現象は殆ど、１５０度以上の高温で乾燥な環境でよく発生するため、特に、導電性高分子の透明電極の形成のための温度条件及び環境は、このようなＥＭ現像の発生をさらに促進させることができる。結局、導電性高分子と透明接着剤の間でＥＭ現象が起きることによって、導電性高分子の物性が変わる可能性があり、静電容量方式のタッチパネルの作動の信頼性が落ちるという問題点があった。
【発明の開示】
【発明が解決しようとする課題】
【０００８】
従って、本発明は上述のような問題点を解決するために導き出されたものであり、タッチパネルの透明電極に結合される透明接着剤の間に透明保護層をさらに形成することにより、透明電極を成す導電性高分子の物性の変性及び抵抗増加を防止し、タッチパネルの視認性を向上させることができる静電容量方式のタッチパネルを提供することを目的とする。
【課題を解決するための手段】
【０００９】
本発明の好ましい実施形態による静電容量方式のタッチパネルは、透明基板、前記透明基板上に形成される導電性高分子からなる透明電極、前記透明電極上に形成される透明な性質の透明保護層及び前記透明保護層上に形成された透明接着剤を含む。
【００１０】
ここで、前記導電性高分子は、ポリ−３、４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする。
【００１１】
また、前記透明保護層は二酸化ケイ素（ＳｉＯ２）、二酸化チタン（ＴｉＯ２）または二酸化亜鉛（ＺｎＯ２）であることを特徴とする。
また、前記透明接着剤はＯＣＡであることを特徴とする。
【００１２】
本発明の好ましい他の実施形態による静電容量方式のタッチパネルは、第１透明基板、前記第１透明基板上に形成される導電性高分子からなる第１透明電極、前記第１透明電極上に形成される第１透明保護層を含む上部基板及び第２透明基板、前記第２透明基板上に形成される導電性高分子からなる第２透明電極、前記第２透明電極上に形成される第２透明保護層を含む下部基板を含んで、前記上部基板と前記下部基板は前記第１透明保護層と前記第２透明保護層が互いに向かい合うように透明接着剤で接着されることを特徴とする。
【００１３】
ここで、前記導電性高分子はポリ−３、４−エチレンジオキシチオフェン／ポリスチレンスルホネート（ＰＥＤＯＴ／ＰＳＳ）、ポリアニリン、ポリアセチレンまたはポリフェニレンビニレンを含むことを特徴とする。
【００１４】
また、前記第１透明保護層または第２透明保護層は二酸化ケイ素（ＳｉＯ２）、二酸化チタン（ＴｉＯ２）または二酸化亜鉛（ＺｎＯ２）であることを特徴とする。
また、前記透明接着剤はＯＣＡであることを特徴とする。
【発明の効果】
【００１５】
本発明によると、透明電極と透明接着剤の間に透明保護層をさらに形成することにより、透明電極と透明接着剤の間の反応性を遮断し、タッチパネルの作動信頼性を向上させる効果がある。
【００１６】
また、透明保護層がさらに形成されることにより、誘電率が向上されて、タッチパネル入力のセンシング感度が向上される効果がある。
【００１７】
また、透明保護層がさらに形成されることにより、透明電極と透明接着剤の化学的反応を遮断することにより、化合物などによるタッチパネルの視認性の低下を防止し、タッチパネルの視認性を安定的に維持する効果がある。
【００１８】
また、透明保護層がさらに形成されることにより、透明接着剤のＥＭ（ｅｌｅｃｔｒｏｍｉｇｒａｔｉｏｎ）現象を防止することで、透明電極を成す導電性高分子の物性変化を防止して、導電性高分子の抵抗が増加されることを防止する効果がある。
【発明を実施するための最良の形態】
【００１９】
本発明の目的、特定の長所及び新規の特徴は添付図面と以下の詳細な説明および好ましい実施形態によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、第１、第２などの用語は一つの構成要素を他の構成要素から区別するために用いられるものであり、構成要素が前記用語によって限定されるものではない。また、本発明の説明において、本発明の要旨を不必要にぼかす可能性がある係わる公知技術に対する詳細な説明は省略する。
【００２０】
以下、添付された図面を参照して本発明の好ましい実施形態を詳細に説明する。
【００２１】
図１は本発明の好ましい実施形態による静電容量方式のタッチパネルの分解図である。本発明による静電容量方式のタッチパネルは、透明基板、前記透明基板上に形成される導電性高分子からなる透明電極、前記透明電極上に形成される透明な性質の透明保護層及び前記透明保護層上に形成された透明接着剤を含む。
【００２２】
透明基板は所定強度以上を有する材質であれば特に限定されないが、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルサルフォン（ＰＥＳ）、環状オレフィン高分子（ＣＯＣ）、トリアセチルセルロース（ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋレジン含有ｂｉａｘｉａｌｌｙ  ｏｒｉｅｎｔｅｄ  ＰＳ；ＢＯＰＳ）、ガラスまたは強化ガラスなどで形成することが好ましい。また、透明基板の一面には透明電極が形成されるため、透明基板と透明電極の間の接着力を向上させるために、透明基板の一面に高周波処理またはプライマー（ｐｒｉｍｅｒ）処理などを遂行して表面処理層を形成することができる。
【００２３】
透明電極は使用者がタッチする時に信号を発生させて、制御部（未図示）で座標を認識することができるようにする役割を遂行するものであり、透明基板の一面に形成される。ここで、透明電極は導電性高分子で形成される。導電性高分子の例としては、ポリ−３、４−エチレンジオキシチオフェン／ポリスチレンスルホネート（ＰＥＤＯＴ／ＰＳＳ）、ポリアニリン、ポリアセチレンまたはポリフェニレンビニレン等があり、このような種類に限定されるものではない。本発明は透明電極を形成する導電性高分子と後述する透明接着剤の接触による化学反応またはＥＭ（ｅｌｅｃｔｒｏｍｉｇｒａｔｉｏｎ）によってタッチパネルの視認性が低下、導電性高分子の物性の変化による伝導度の低下、即ち抵抗増加を防止するためのものである。
【００２４】
透明保護層は透明電極と透明接着剤の間で起きる反応を遮断するためのものであり、反応性が低い物質が好ましい。また、タッチパネルの視認性の問題を考慮して透明な物質ではなければならず、誘電率が高い物質を用いることによってタッチ時のセンシング感度を向上させることができる。透明保護層は二酸化ケイ素（ＳｉＯ２）、二酸化チタン（ＴｉＯ２）または二酸化亜鉛（ＺｎＯ２）からなることができる。但し、その他にも透明な物質で反応性が低く、誘電率が高い物質であれば、多様な物質を用いて透明保護層を形成することができることは勿論である。
【００２５】
透明接着剤は透明電極が形成された透明基板を互いに結合したり、または透明基板とウィンドウを結合するために形成される。特に、透明接着剤は導電性高分子と反応を起こしてタッチパネルの機能を低下させ、本発明ではこれを防止するために透明保護層をさらに形成する。透明接着剤には特別な制限がなく、ただ、導電性高分子との結合時に化学反応またはＥＭ（ｅｌｅｃｔｒｏｍｉｇｒａｔｉｏｎ）を起こす物質であればこれに含まれることができる。透明接着剤にはＯＣＡを用いることができる。
【００２６】
図１に図示されたように、本発明の好ましい一実施形態による静電容量方式のタッチパネルは、第１透明基板１０、前記第１透明基板１０上に形成される導電性高分子からなる第１透明電極１１、前記第１透明電極１１上に形成される第１透明保護層１３を含む上部基板及び第２透明基板２０、前記第２透明基板２０上に形成される導電性高分子からなる第２透明電極２１、前記第２透明電極２１上に形成される第２透明保護層２３を含む下部基板；を含んで、前記上部基板と前記下部基板は前記第１透明保護層１３と前記第２透明保護層２３が互いに向かい合うように透明接着剤３０で接着されることを特徴とする。
【００２７】
上述の透明基板、透明電極、透明保護層及び透明接着剤に関する説明は本実施にも同様に適用されるものであり、重複される内容は省略する。
【００２８】
上部基板または下部基板で、本発明による第１透明保護層１３または第２透明保護層２３が形成されることができるため、透明電極物質である導電性高分子と透明接着剤３０の反応性の可否によって透明保護層を選択的に形成することができることは勿論である。但し、図１では上部基板及び下部基板に夫々第１透明保護層１３及び第２透明保護層２３が形成された実施形態を図示している。
【００２９】
以上、本発明を具体的な実施形態に基づいて詳細に説明したが、これは本発明を具体的に説明するためのものであり、本発明による静電容量方式のタッチパネルはこれに限定されず、本発明の技術的思想内で該当分野における通常の知識を有する者によってその変形や改良が可能であることは明白であろう。本発明の単純な変形乃至変更はいずれも本発明の領域に属するものであり、本発明の具体的な保護範囲は添付の特許請求の範囲により明確になるであろう。
【図面の簡単な説明】
【００３０】
【図１】本発明の好ましい一実施形態による静電容量方式のタッチパネルの分解図である。
【符号の説明】
【００３１】
１０  第１透明基板
１１  第１透明電極
１２  第１電極配線
１３  第１透明保護層
２０  第２透明基板
２１  第２透明電極
２２  第２電極配線
２３  第２透明保護層
３０  透明接着剤
【図１】
2012027894.tif 000003